(57)【要約】  【課題】  水槽の水の交換等を不要とすることができ飼育者の負担を軽減し、自動化・省人化することができる自動飼育水槽装置を提供する。  【解決手段】  観賞魚の飼育を行う水槽１０と、水槽１０内の水の濾過を行う濾過装置２０と、を備え、濾過装置２０は、水槽１０内からの水が流れて汚物の分離を行う第１の濾過部２３と、第１の濾過部を通過した水の濾過を行う第２の濾過部３４とを備えている。第１の濾過部２３は、汚物の浸入を阻止する濾布２４と金網２６とを有し、汚物を濾布２４を伝って流れる水と共に外部へと排出する。また、第２の濾過部３４を通過した残りの水は水槽１０内に循環される。【選択図】  図１
0003108541.tif 000002
【実用新案登録請求の範囲】
【請求項１】
飼育を行う水槽（１０）と、水槽（１０）内の水の濾過を行う濾過装置（２０）と、を備える自動飼育水槽装置において、
前記濾過装置（２０）は、水槽内からの水が流れて汚物の分離を行う第１の濾過部（２３）と、第１の濾過部（２３）を通過した水の濾過を行う第２の濾過部（３４）とを備えており、
該第１の濾過部（２３）は、汚物の浸入を阻止する第１の濾過材（２４，２６）を有し、汚物を該第１の濾過材（２４，２６）を通過せずに伝って流れる水と共に外部へと排出するものであり、
第２の濾過部（３４）を通過した残りの水は水槽（１０）内に循環されることを特徴とする自動飼育水槽装置。
【請求項２】
前記濾過装置（２０）は水槽（１０）の下方に配置されており、
水槽（１０）の底部には開口（１０ａ）が設けられ、該開口（１０ａ）の上方に多数の孔を有する板（１２）が配設され、
濾過装置（２０）と水槽（１０）の開口（１０ａ）とは、水槽（１０）の底部に連結された漏斗式連結管（１４）によって連結されることを特徴とする請求項１記載の自動飼育水槽装置。
【請求項３】
前記濾過装置（２０）は水槽（１０）の下方に配置されており、
前記第２の濾過部（３４）を通過した水を貯留する貯留槽（４０）と、貯留槽（４０）からの水を水槽（１０）へと汲み上げるポンプ（４３）と、をさらに備えることを特徴とする請求項１記載の自動飼育水槽装置。
【請求項４】
水槽（１０）へ外部からの水の補給を行う補給部（５６）と、該補給部（５６）からの補給によって水槽の水を一定水位に制御する水位制御部とを備えることを特徴とする請求項３記載の自動飼育水槽装置。
【請求項５】
水槽（１０）から濾過装置（２０）へと流れる水量を調整する調整バルブ（１６）を備えることを特徴とする請求項４記載の自動飼育水槽装置。
【請求項６】
前記第１の濾過部（２３）は、網（２６）と、該網（２６）を覆う布（２４）とによって構成されることを特徴とする請求項１記載の自動飼育水槽装置。
【請求項７】
自動投餌器（７０）をさらに備えており、該自動投餌器（７０）は、飼料を収容する飼料タンク（７２）と、飼料タンク（７２）を所定時間毎に第２所定時間の間振動させて飼料タンクから飼料を振り出させるバイブレータ機構（７８）とを備えることを特徴とする請求項１記載の自動飼育水槽装置。
【請求項８】
飼料タンク（７２）の下部にある出口には二重の蓋（８０，８２）が設けられており、該二重の蓋（８０，８２）にはそれぞれ複数個の開口が形成されることを特徴とする請求項７記載の自動飼育水槽装置。
【考案の詳細な説明】
【技術分野】
【０００１】
本考案は、熱帯魚や金魚等の観賞魚といった飼育物を飼育する水槽装置に関し、特に、飼育者の手間を省き自動化を図ることができる自動飼育水槽装置に関する。
【背景技術】
【０００２】
従来、魚を飼育する水槽装置は、水槽、照明装置、濾過装置などで構成されている。
【０００３】
この中で濾過装置は、水槽内の水の汚れを物理的及び生物的に濾過するものであり、水を循環させて濾過する濾過装置が多数知られている。
【０００４】
例えば、特許文献１に記載されたものは、濾過機構を、観賞魚水槽からの水の中の浮遊物を化学繊維などの濾過材で濾過する物理的濾過を行う第１の濾過機構と、この第１の濾過機構から供給される水に溶け込んだ有機物などを砂利などの濾過材に生息させたバクテリアによって濾過する生物的濾過を行う第２の濾過機構とに分割し、第１の濾過機構を観賞魚水槽の上に載置し、第２の濾過機構を観賞魚水槽内に配置しており、ポンプで、水槽内の水を第１の濾過機構に汲み上げている。
【０００５】
【特許文献１】実開平１０−２８２号公報
【考案の開示】
【考案が解決しようとする課題】
【０００６】
しかしながら、従来の濾過装置では、物理的濾過を行う濾過材の交換を定期的に行わなければならない、という問題がある。
【０００７】
また、従来の濾過装置では、濾過材によって、残餌や糞などの汚物を還流する水と分離して濾過を行っているものの汚物自体は濾過材を交換するまでは滞留しており、水の汚染が免れ得ない。そのため、水質の保持のために定期的に薬品を使用したり、水槽の水の交換作業を定期的に行ったりする必要がある、という問題がある。
【０００８】
また、従来、餌の供給は手動で行われるために、手間がかかり、または長期間不在にすることができない、という問題がある。
【０００９】
本考案はかかる課題に鑑みなされたもので、水槽の水の交換または水の交換及び餌やりの手間を不要とすることができ飼育者の負担を軽減し、自動化・省人化することができる自動飼育水槽装置を提供することをその目的とする。
【課題を解決するための手段】
【００１０】
前述した目的を達成するために、請求項１記載の本考案は、飼育を行う水槽と、水槽内の水の濾過を行う濾過装置と、を備える自動飼育水槽装置において、
前記濾過装置は、水槽内からの水が流れて汚物の分離を行う第１の濾過部と、第１の濾過部を通過した水の濾過を行う第２の濾過部とを備えており、
該第１の濾過部は、汚物の浸入を阻止する第１の濾過材を有し、汚物を該第１の濾過材を通過せずに伝って流れる水と共に外部へと排出するものであり、
第２の濾過部を通過した残りの水は水槽内に循環されることを特徴とする。
【００１１】
請求項２記載の考案は、請求項１記載のものにおいて、前記濾過装置が水槽の下方に配置されており、水槽の底部には開口が設けられ、該開口の上方に多数の孔を有する板が配設され、濾過装置と水槽の開口とは、水槽の底部に連結された漏斗式連結管によって連結されることを特徴とする。
【００１２】
請求項３記載の考案は、請求項１記載のものにおいて、前記濾過装置は水槽の下方に配置されており、前記第２の濾過部を通過した水を貯留する貯留槽と、貯留槽からの水を水槽へと汲み上げるポンプと、をさらに備えることを特徴とする。
【００１３】
請求項４記載の考案は、請求項３記載の水槽へ外部からの水の補給を行う補給部と、該補給部からの補給によって水槽の水を一定水位に制御する水位制御部とを備えることを特徴とする。
【００１４】
請求項５記載の考案は、請求項４記載のものにおいて、水槽から濾過装置へと流れる水量を調整する調整バルブを備えることを特徴とする。
【００１５】
請求項６記載の考案は、請求項１記載の前記第１の濾過部が、網と、該網を覆う布とによって構成されることを特徴とする。
【００１６】
請求項７記載の考案は、請求項１記載のものにおいて、自動投餌器をさらに備えており、該自動投餌器は、飼料を収容する飼料タンクと、飼料タンクを所定時間毎に第２所定時間の間振動させて飼料タンクから飼料を振り出させるバイブレータ機構とを備えることを特徴とする。
【００１７】
請求項８記載の考案は、請求項７記載の飼料タンクの下部にある出口には二重の蓋が設けられており、該二重の蓋にはそれぞれ複数個の開口が形成されることを特徴とする。
【考案の効果】
【００１８】
本考案によれば、第１の濾過部において、汚物を分離して、第１の濾過材を伝って流れる水と共に排出してしまうために、汚物を即座に水槽外へと排出することができて、汚物による水質の汚染を防ぐことができるため、第２の濾過部による濾過と共に、水質を良好に維持することができる。このため、薬品の定期的な使用や水槽の水の交換の手間をなくすことができる。第１の濾過材を伝わる水と共に、汚物を即座に排出してしまうために、濾過材自体の汚れも防ぐことができて、濾過材の交換も不要とすることができる。よって、飼育者の負担を軽減し、自動化・省人化することができる。
【００１９】
請求項２記載の考案によれば、漏斗式連結管によって、水槽の底部から水を濾過装置に流すことができるようになり、また、多数の孔を有する板によって、水槽内の飼育物が濾過装置へと吸い込まれるのを防ぐことができる。
【００２０】
請求項３記載の考案によれば、貯留槽によって濾過した水を貯留することによって、水槽から濾過装置へと流れる水と、水槽へと戻す水とのバランスをとることができる。貯留槽は、火災の際の消火、洗車、植物用の水として使用することもできる。
【００２１】
請求項４記載の考案によれば、汚物と共に排出される水の分として外部から水を補給することによって、水槽内の水位を一定に保持することができる。また、新鮮な水がわずかならも補給されることによって、少量ずつの水の入れ替えを行うことができるようになり、よって、水槽の全体的・定期的な水の交換を確実に不要とすることができる。
【００２２】
請求項５記載の考案によれば、調整バルブによって水槽から濾過装置へと流れる水量を調整することによって、汚物と共に排出される水の量も調整し、これによって、循環させる水量と外部からの新鮮な水の水量のバランスを調整することができるようになる。
【００２３】
請求項６記載の考案によれば、網と布によって汚物を分離することができ、網が布を保持すると共に、布を伝わる水が汚物を流すことができる。
【００２４】
請求項７記載の考案によれば、定期的に餌を自動的に供給することができるので、餌やりの手間を不要とすることができ、飼育者の負担をより軽減することができる。
【００２５】
請求項８記載の考案によれば、二重の蓋によって、飼料タンクが振動されていないときには、蓋の開口で飼料が詰まった状態で留まっており、飼料タンクが振動されているときには、蓋の複数の開口から飼料を揺すり出して、水槽へと供給することができる。
【考案を実施するための最良の形態】
【００２６】
以下、図面を用いて本考案の実施の形態を説明する。尚、本考案は下記実施形態に限定されるものではない。
【００２７】
図１は、本考案の自動飼育水槽装置の全体の構成図である。図において、この自動飼育水槽装置は、大きく、水槽１０と、濾過装置２０と、濾過後の水を貯留する貯水槽４０と、自動投餌器７０と、を有している。
【００２８】
水槽１０は鑑賞魚を飼育するための水槽であり、強化ガラスなどで構成される。水槽１０の底部には、水槽１０とその下方に配置される濾過装置２０とを分離するための、打抜孔を有する板１２が載置されている。
【００２９】
板１２は、ステンレス板、メッキコーティング板、アルミ板、またはアルマイト板等とすることができる。板１２には、高さ３ｍｍ〜５ｍｍ程度の複数の脚１２ａが設けられており、脚１２ａによって、水槽１０の底面と板１２との間に隙間が形成されている。また、板１２は水槽１０の側面との間に適当な幅の隙間が形成される程度の大きさとなっているとよい。板１２に穿設された打抜孔はφ５ｍｍ以上とすることができ、多数個（例えば、２０００個以上）設けられる。この板１２の上に適宜、石などを置くことができる。
【００３０】
水槽１０の底部には開口１０ａが形成されており、開口１０ａには、上部が漏斗状になった漏斗式連結管１４が連結されている。上記板１２によって、魚等が開口１０ａに吸い込まれるのを防ぐことができる。漏斗式連結管１４の管路には、水量調整バルブ１６が設けられている。
【００３１】
漏斗式連結管１４には、濾過装置２０が連結される。該濾過装置２０は、図２に拡大して示したように、前記漏斗式連結管１４の下端が連結されるしぶき飛散防止用カバー２２と、第１の濾過部２３と、第１の濾過部２３に連結される垂直管２８と、垂直管２８の外方に配置される環状の受皿３０と、受皿３０に連結される排水チューブ３２と、垂直管２８の下端に配置される第２の濾過部３４と、を有している。
【００３２】
第１の濾過部２３は、ナイロン等からなる濾布２４と、上に凸形状をなしたステンレス等からなる金網２６とからなる第１の濾過材によって構成される。濾布２４は、金網２６の上を覆うように被着されて、その下端部は垂直管２８の外側に配置される。金網２６は、縦横共１インチ４０本程度の網とすることができる。この濾布２４と金網２６によって、漏斗式連結管１４から流下される水槽１０内の水から汚物を分離する物理的濾過を行う。また、しぶき飛散防止用カバー２２は、漏斗式連結管１４から流下される水が、濾布２４及び金網２６に衝突して飛散するのを受けるためのものである。
【００３３】
濾布２４と金網２６によって分離された汚物は、濾布２４を伝わりその下端からしたたり落ちる水と共に垂直管２８の外側を流れ、受皿３０に受け止められ、受皿３０に連結された排水チューブ３２から排出されるようになっている。
【００３４】
一方の濾布２４と金網２６によって汚物が除去された水は、垂直管２８の内側を通り、第２の濾過部３４へと流れる。第２の濾過部３４は、濾過ケーシング３６と、濾過ケーシング３６内に収納される第２の濾過材３７とを有している。濾過ケーシング３６は、例えば、高さ１０ｃｍφ２１ｃｍ程度の円筒状の篩で構成することができる。濾過ケーシング３６内に収納される第２の濾過材３７としては、棕櫚、砂濾等の任意の濾過材を用いることができ、生物的濾過を行う。
【００３５】
例えば、濾過ケーシング３６の底に棕櫚３８を高さ５ｍｍとなる位まで敷き詰め、その上に砂濾３９を高さ３ｍｍ程度、棕櫚３８を高さ３ｍｍ程度、砂濾３９を高さ２ｍｍ程度、棕櫚３８を高さ５ｍｍ程度と、順に敷き詰める。この棕櫚３８と砂濾３９の層数及び高さは任意とすることができる。棕櫚３８は水に強く半永久的に使用することができる。このように棕櫚３８の層と砂濾３９の層とを交互に重ねることにより、垂直管２８を流下する勢いのある水によって砂濾３９がえぐりとられないようにする。また、棕櫚３８によって、砂濾３９が水圧で堅くなるのを防ぐことができる。
【００３６】
濾過ケーシング３６の下方には、貯水槽４０が設けられる。篩からなる濾過ケーシング３６内の濾過材３７を通過した水は、貯水槽４０に流れ出る。
【００３７】
貯水槽４０は、その側部にオーバフロー用排水口４０ａと、その底部に排水口４０ｂと、を有している。これらのオーバフロー用排水口４０ａ及び排水口４０ｂに接続される排水チューブ４１，４２は、前記排水チューブ３２と一緒にまとめられる。
【００３８】
貯水槽４０の内部には、ポンプ４３が配置されている。このポンプ４３は、給水管４４を通して、水槽１０へと水を汲み上げるものである。給水管４４の管路の先端部は分岐されて、バルブ４６を介して一方の管路の先端は、給水兼噴水ノズル４８に、他方の管路の先端は、バルブ５０を介して給水兼瀑布ノズル５２に連結される。
【００３９】
また、給水管４４と平行に、補給部としての第２給水管５６が配設される。第２給水管５６の上流側には給水源５８が連結され、第２給水管５６の下流側には、ボールタップのようなフロートを用いたレベル制御弁６２が設けられる。また、水槽１０の側部には、オーバフロー排水口１０ｂが設けられる。
【００４０】
また、給水管４４と第２給水管５６とは、途中の管路でバルブ６０を介して連結されている。バルブ６０は常時は閉じており、給水管４４と第２給水管５６とは常時は独立している。
【００４１】
水槽１０の上方にはライト６４が設けられ、また、水槽１０内には、適宜、漏電防止器６６、酸素供給器６７が配置される。また、水中ヒータを設けて、水温を一定に保持するように制御することも可能である。
【００４２】
ライト６４、漏電防止器６６、酸素供給器６７、ポンプ４３等へは、制御器６８の配電盤を介して給電される。
【００４３】
また、水槽１０の上方には自動投餌器７０が配置される。自動投餌器７０は、図３に示したように、飼料を収容する飼料タンク７２と、飼料タンク７２の下部に連結された漏斗７４と、飼料送りチューブ７６と、バイブレータ機構７８と、を有する。
【００４４】
飼料タンク７２の下部にある出口には、二重の蓋８０、８２が設けられており、この蓋８０、８２には、少なくとも２個以上のφ６〜７ｍｍ程度の開口が形成される。１つの開口ではなく、複数の開口を形成することによって、出口における餌の詰まりを防ぐことができる。
【００４５】
バイブレータ機構７８の揺動部は、スプリング７９を介して水槽１０の上方に支持されており、該揺動部が前記飼料タンク７２を支持している。バイブレータ機構７８は、前記制御器６８のタイマーによる計時により予め設定された所定時間毎に駆動開始して、予め設定された第２所定時間だけ、飼料タンク７２を振動させる。これによって、飼料タンク７２内に入っている飼料が、蓋８０、８２の開口から振り出されて、飼料送りチューブ７６から水槽１０内へと供給される。振動を停止すると、飼料は蓋８０、８２の出口において、詰まった状態で留まる。飼料送りチューブ７６の先端は、垂直向き、水平向きまたは任意の傾斜角度を向いていてもよく、また、水平向きの場合に、３６０度のいずれの方向の向きを向いていてもよい。こうして飼料の供給は全方位、全角度に対応することができる。
【００４６】
以上の水槽１０、濾過装置２０及び貯留槽４０は上下に一体に連結されており、貯留槽４０の下部には車輪９０が軸着されており、全体として移動することも可能となっている。
【００４７】
以上のように構成される自動飼育水槽装置において、その作用を説明する。常時には、水量調整バルブ１６によって水量が適度に維持されており、調整された水量の水が水槽１０から板１２及び漏斗式連結管１４を通過して、濾過装置２０へと流れている。濾過装置２０では、前述のように濾布２４及び金網２６によって、汚物が完全に分離されて、汚物は濾布２４を伝って流れる水と共に受皿３０に受け止められて、排水チューブ３２から排水される。こうして、物理的濾過が行われる。この濾布２４と金網２６によって、少量の水が汚物と共に排出され、残りの大部分の水は、濾布２４及び金網２６を通過して、垂直管２８を通り、濾過ケーシング３６の中の濾過材によって濾過されて、生物的濾過が行われる。こうして得られた水は溪流の如きとなり、貯留槽４０に貯留される。
【００４８】
貯留槽４０の水はポンプ４３によって給水管４４を介して、給水兼噴水ノズル４８及び／または給水兼瀑布ノズル５２から水槽１０へと汲み上げられ、ほとんどの水は循環される。
【００４９】
同時に、その排出される分に相当する分量の水が、フロートを用いたレベル制御弁６２によって、第２給水管５６から新しい水として補給されることにより、水の入れ替えも行われる。
【００５０】
水量調整バルブ１６によって流す水量を増加させると、水槽１０から吸引される水が増え、また、その分排出される水の量が増加するので、第２給水管５６から補給する水が増加し、水の入れ替え量が増加する。つまり、水量調整バルブ１６による流量の調整により、循環させる水量と入れ替える水量の調整を図ることができるようになる。または、ポンプ４３の調整により、循環させる水量と入れ替える水量の調整を図ることも可能である。
【００５１】
また、水温が高くなったときには、循環する水量を減らし、第２給水管５６を通る給水源５８からの水の量を増やすことにより、温度調整を行うことができる。適宜、水槽１０内に温度センサを設置し、制御器６８で、温度センサで検出される水温に応じて、水量調整バルブ１６またはポンプ４３の調整を行うようにしてもよい。
【００５２】
断水となったときには、給水源５８からの水は使用することができなくなるが、ポンプ４３から貯水漕４０からの水が循環されるために、非断水時と同様に動作させることができる。排水チューブ３２から汚物と共に一部の水が排出されるものの、その排出される水は一部であるため、継続して濾過水を水槽１０に供給することができる。
【００５３】
停電が発生し、ポンプ４３を全く使用することができない状況になったときには、水量調整バルブ１６によって水量を絞り、バルブ６０を手動で切り替える。これによって、第２給水管５６を通り給水源５８から水が給水される。このため、濾過は継続されつつ水が補給されるので、停電の間も非停電時と同様に動作させることができる。
【００５４】
制御器６８に充電機能を持たせて、各ポンプ、ライト等への給電を行うようにすることにより、停電の際にも、ある程度の時間は、非停電時と同様に動作させることができる。また、停電時または夜間に、ライト６４の点灯利用を可能にすることができる。
【００５５】
自動投餌器７０は、制御器６８からのトリガ信号によって所定時間毎に自動的に第２所定時間だけバイブレータ機構７８が駆動するので、飼料タンク７２からの飼料が、二重の蓋８０，８２を通過して、飼料送りチューブ７６から水槽にまかれる。
【００５６】
任意には、水位を検出するフロートスイッチを水槽１０に設け、前記ポンプ４３は、フロートスイッチが、予め設定された上限水位に達したことを検出したときに、制御器６８の制御により、電源から切り離して自動的に停止させ、水槽１０の水位が予め設定された下限水位に達したことをフロートスイッチが検出したときに、ポンプ４３の駆動を再開して、貯留槽４０からの給水を行なうようにすることもできる。ポンプ４３が停止している間は、水槽１０から漏斗式連結管１４を通り水は流れ出ていき、濾過装置２０で濾過され続けているので、水槽１０の水位は下降する。こうしてポンプ４３を間歇駆動とすることにより、節電効果を持たせることもできる。
【００５７】
以上のように、実施形態によれば、以下の効果を奏する。
・常時且つ即座に、汚物を外部へと排出しているために、水の汚染を防ぎ、水質を良好に維持することができる。そのため、薬品の定期的な使用や、水槽１０の水の交換の手間をなくすことができる。また、濾過材を伝わる水と共に、汚物を即座に排出してしまうために、濾過材の汚れも防ぐことができて、濾過材の交換も不要とすることができる。
・汚物と共に排出される水を補給するために外部からの水を利用することにより、常時、わずかな割合で自動的に水の入れ替え作業を行うことができる。
・外部からの水も供給可能となっているために、停電のときにも外部からの水を補給すると共に濾過装置２０で濾過を行うことにより、水槽の水質を保つことができる。
・汚物と共に排出された水を除き、残りの水は、第２の濾過材３７で濾過された水を循環させることができる。断水の際には、この循環する水だけとすることができる。
・餌を所定時間毎に自動的に供給することにより、餌やりの手間を省くことができ、長期間、留守にすることも可能になる。
・第２の濾過材として、棕櫚や砂濾を用いることにより、交換の手間なく、半永久的に濾過を行うことができる。
・貯留槽４０に貯留されている水を、火災の際の消火、洗車、植物用の水として利用することも可能である。
【実施例】
【００５８】
以下は、水槽と貯留槽の実施例とその動力例である。
【００５９】
【表１】
0003108541.tif 000003
【図面の簡単な説明】
【００６０】
【図１】本考案の自動飼育水槽装置の全体断面図である。
【図２】図１の濾過装置の拡大断面図である。
【図３】図１の自動投餌器の拡大断面図である。
【符号の説明】
【００６１】
１０  水槽
１０ａ  開口
１２  板
１４  漏斗式連結管
２０  濾過装置
２３  第１の濾過部
２４  濾布（第１の濾過材）
２６  金網（第１の濾過材）
３４  第２の濾過部
３７  第２の濾過材
４０  貯留槽
４３  ポンプ
５６  第２給水管（補給部）
６２  レベル制御弁
７０  自動投餌器
７２  飼料タンク
７８  バイブレータ機構
８０、８２  蓋
【図１】
0003108541.tif 000004
【図２】
0003108541.tif 000005
【図３】
0003108541.tif 000006